(57)【要約】【課題】適正な需要予測パターンをユーザ主導の下で維持できるコジェネレーションシステムを提供する。【解決手段】リモコン４１は、コジェネレーションシステムにおける発電装置１０の運転を制御する制御装置３０とデータの送受を行う。リモコン４１は、需要実績パラメータの提示要求をユーザから受け付けると、制御装置３０から本日及び過去数日分の需要実績パラメータを取得し、取得した需要実績パラメータの一覧をユーザに提示する。また、リモコン４１は、ユーザが削除したい需要実績パラメータの指定をユーザから受け付け、制御装置３０に対して、ユーザが指定した需要実績パラメータの削除を要求する。制御装置３０は、リモコン４１から削除指定された需要実績パラメータを削除する。【選択図】図１
2009213203.tif 000002
【特許請求の範囲】
【請求項１】
所定の発電手段を用いて発電する発電装置と、
需要地における電力及び／又は熱需要を計測する計測手段と、
該計測手段の計測結果に基づいて、前記発電装置の発電計画を作成し、作成した前記発電計画に従って前記発電装置の運転を制御する制御装置と、
ユーザＩ／Ｆ装置と、を備えたコジェネレーションシステムであって、
前記制御装置は、
前記計測手段の計測結果に基づいて、電力及び／又は熱需要の所定期間の実績を示す需要実績パラメータを作成する手段と、
作成した前記需要実績パラメータを蓄積して保存する手段と、
過去複数の前記需要実績パラメータに基づいて、電力及び／又は熱需要の所定期間の予測を示す需要予測パラメータを作成する手段と、
作成した前記需要予測パラメータに基づいて、前記発電計画を作成する手段と、
前記ユーザＩ／Ｆ装置からの要求に応じて、指定された前記需要実績パラメータを削除する手段と、を備え、
前記ユーザＩ／Ｆ装置は、
前記需要実績パラメータの提示要求をユーザから受け付ける手段と、
前記需要実績パラメータの提示要求を受け付けた場合、前記制御装置から１又は複数の前記需要実績パラメータを取得し、取得した前記需要実績パラメータの一覧をユーザに提示する手段と、
前記提示された前記需要実績パラメータの一覧から、ユーザが削除を所望する前記需要実績パラメータの削除指定をユーザから受け付ける手段と、
前記需要実績パラメータの削除指定を受け付けた場合、前記制御装置に対して、指定された前記需要実績パラメータの削除を要求する手段と、を備える、
ことを特徴とするコジェネレーションシステム。
【請求項２】
前記ユーザＩ／Ｆ装置は、さらに、
前記需要予測パラメータの提示要求をユーザから受け付ける手段と、
前記需要予測パラメータの提示要求を受け付けた場合、前記制御装置から前記需要予測パラメータを取得し、取得した前記需要実績パラメータを前記提示された前記需要実績パラメータと比較できるようにしてユーザに提示する手段と、を備える、
ことを特徴とする請求項１に記載のコジェネレーションシステム。
【請求項３】
前記ユーザＩ／Ｆ装置は、さらに、
ユーザが前記需要実績パラメータの作成を所望しない将来の期間である例外期間の登録をユーザから受け付ける手段と、
前記受け付けた例外期間についての情報を前記制御装置に送信する手段と、を備え、
前記制御装置は、前記例外期間については前記需要実績パターンの作成を行わない、
ことを特徴とする請求項１に記載のコジェネレーションシステム。
【請求項４】
前記発電手段として燃料電池を使用する、
ことを特徴とする請求項１に記載のコジェネレーションシステム。
【請求項５】
前記発電手段としてガスエンジンを使用する、
ことを特徴とする請求項１に記載のコジェネレーションシステム。
【請求項６】
コジェネレーションシステムにおける発電装置の運転を制御する制御装置とデータの送受を行うユーザＩ／Ｆ装置であって、
電力及び／又は熱需要の所定期間の実績を示す需要実績パラメータの提示要求をユーザから受け付ける手段と、
前記需要実績パラメータの提示要求を受け付けた場合、前記制御装置から１又は複数の前記需要実績パラメータを取得し、取得した前記需要実績パラメータの一覧をユーザに提示する手段と、
前記提示された前記需要実績パラメータの一覧から、ユーザが削除を所望する前記需要実績パラメータの削除指定をユーザから受け付ける手段と、
前記需要実績パラメータの削除指定を受け付けた場合、前記制御装置に対して、指定された前記需要実績パラメータの削除を要求する手段と、を備える、
ことを特徴とするユーザＩ／Ｆ装置。
【請求項７】
電力及び／又は熱需要の所定期間の予測を示す需要予測パラメータの提示要求をユーザから受け付ける手段と、
前記需要予測パラメータの提示要求を受け付けた場合、前記制御装置から前記需要予測パラメータを取得し、取得した前記需要実績パラメータを前記提示された前記需要実績パラメータと比較できるようにしてユーザに提示する手段と、をさらに備える、
ことを特徴とする請求項６に記載のユーザＩ／Ｆ装置。
【請求項８】
ユーザが前記需要実績パラメータの作成を所望しない将来の期間である例外期間の登録をユーザから受け付ける手段と、
前記受け付けた例外期間についての情報を前記制御装置に送信する手段と、をさらに備える、
ことを特徴とする請求項６に記載のユーザＩ／Ｆ装置。
【発明の詳細な説明】
【技術分野】
【０００１】
本発明は、コジェネレーションシステムに関し、特に家庭用のコジェネレーションシステムに関する。
【背景技術】
【０００２】
燃料電池やガスエンジンを用いて発電し、その際の排熱を利用して給湯や暖房等を行うコジェネレーションシステム（コージェネレーションシステムともいう）は、総合的なエネルギー効率が高く、環境性にも優れ、一般家庭への普及が期待されている。
【０００３】
このようなコジェネレーションシステムでは、省エネルギー性や環境性を低下させないようにするため、当該コジェネレーションシステムが導入される家庭の電力需要や熱需要に適応した運転が要求される。特に、燃料電池を用いたコジェネレーションシステムでは、間欠運転が燃料電池の劣化に影響を及ぼし、耐久性を低下させるおそれがあるため、当該家庭の電力需要や熱需要のパターンを把握し（即ち、需要予測パターンを作成して）、これを基に適切に運転制御されることが重要である。
【０００４】
例えば、特許文献１には、電力需要予測値及び／又は給湯需要予測値を得るのに必要なパラメータを計測する計測手段と、制御手段とを備え、該制御手段は、計測手段により計測されたパラメータを記憶してデータベースを作成する記憶手段と、自己回帰モデル作成手段と、平均値演算手段とを有するコージェネレーション装置が開示されている。
【０００５】
このコージェネレーション装置の制御手段は、例えば、稼働開始（パラメータの計測開始）後から所定期間までは、電力需要については、自己回帰モデル作成手段により自己回帰モデルを作成して電力需要予測値を求め、給湯需要については、平均値演算手段によりコージェネレーション装置稼働後の平均値から給湯需要予測値を求める。そして、所定期間経過後は、データベースに基づいて事例ベース推論により電力需要予測値及び／又は給湯需要予測値を求めて、コージェネレーション装置の運転制御を行う。
【０００６】
これにより、いわゆる「新品」のように、事例ベース推論を行うことができる程度までデータが蓄積されていない状態であっても、自動運転によりコージェネレーション装置を稼動させることができる、としている。
【特許文献１】特許第３８９４８９２号公報
【発明の開示】
【発明が解決しようとする課題】
【０００７】
ところで、来客等、突発的な行事等により、電力、給湯の需要（使用）パターンが、日常とは著しく異なる場合がある。そのような例外的な需要パターンも加味して（学習して）需要予測パターンを作成してしまうと、日常的（即ち、規則的）な生活周期に基づく需要予測パターンとズレを生じさせてしまう。したがって、需要予測パターンの作成においては、例外的な需要パターンは除外するのが望ましいといえる。
【０００８】
しかしながら、上記特許文献１には、この点についての対応策が示されておらず、他の従来技術においても有効な解決策が示されていないのが実状である。
【０００９】
本発明は、上記従来の問題点に鑑みてなされたものであり、適正な需要予測パターンをユーザ主導の下で維持できるコジェネレーションシステム及びユーザＩ／Ｆ装置を提供することを目的とする。
【課題を解決するための手段】
【００１０】
本発明に係るコジェネレーションシステムは、所定の発電手段を用いて発電する発電装置と、需要地における電力及び／又は熱需要を計測する計測手段と、該計測手段の計測結果に基づいて、前記発電装置の発電計画を作成し、作成した前記発電計画に従って前記発電装置の運転を制御する制御装置と、ユーザＩ／Ｆ装置と、を備えたコジェネレーションシステムであって、前記制御装置は、前記計測手段の計測結果に基づいて、電力及び／又は熱需要の所定期間の実績を示す需要実績パラメータを作成する手段と、作成した前記需要実績パラメータを蓄積して保存する手段と、過去複数の前記需要実績パラメータに基づいて、電力及び／又は熱需要の所定期間の予測を示す需要予測パラメータを作成する手段と、作成した前記需要予測パラメータに基づいて、前記発電計画を作成する手段と、前記ユーザＩ／Ｆ装置からの要求に応じて、指定された前記需要実績パラメータを削除する手段と、を備え、前記ユーザＩ／Ｆ装置は、前記需要実績パラメータの提示要求をユーザから受け付ける手段と、前記需要実績パラメータの提示要求を受け付けた場合、前記制御装置から１又は複数の前記需要実績パラメータを取得し、取得した前記需要実績パラメータの一覧をユーザに提示する手段と、前記提示された前記需要実績パラメータの一覧から、ユーザが削除を所望する前記需要実績パラメータの削除指定をユーザから受け付ける手段と、前記需要実績パラメータの削除指定を受け付けた場合、前記制御装置に対して、指定された前記需要実績パラメータの削除を要求する手段と、を備えることを特徴とする。
【００１１】
前記ユーザＩ／Ｆ装置は、さらに、前記需要予測パラメータの提示要求をユーザから受け付ける手段と、前記需要予測パラメータの提示要求を受け付けた場合、前記制御装置から前記需要予測パラメータを取得し、取得した前記需要実績パラメータを前記提示された前記需要実績パラメータと比較できるようにしてユーザに提示する手段と、を備えるようにしてもよい。
【００１２】
また、前記ユーザＩ／Ｆ装置は、さらに、ユーザが前記需要実績パラメータの作成を所望しない将来の期間である例外期間の登録をユーザから受け付ける手段と、前記受け付けた例外期間についての情報を前記制御装置に送信する手段と、を備え、前記制御装置は、前記例外期間については前記需要実績パターンの作成を行わないようにしてもよい。
【００１３】
前記発電手段として燃料電池を使用してもよいし、ガスエンジンを使用してもよい。
【００１４】
本発明に係るユーザＩ／Ｆ装置は、コジェネレーションシステムにおける発電装置の運転を制御する制御装置とデータの送受を行うユーザＩ／Ｆ装置であって、電力及び／又は熱需要の所定期間の実績を示す需要実績パラメータの提示要求をユーザから受け付ける手段と、前記需要実績パラメータの提示要求を受け付けた場合、前記制御装置から１又は複数の前記需要実績パラメータを取得し、取得した前記需要実績パラメータの一覧をユーザに提示する手段と、前記提示された前記需要実績パラメータの一覧から、ユーザが削除を所望する前記需要実績パラメータの削除指定をユーザから受け付ける手段と、
前記需要実績パラメータの削除指定を受け付けた場合、前記制御装置に対して、指定された前記需要実績パラメータの削除を要求する手段と、を備えることを特徴とする。
【００１５】
上記構成に加え、電力及び／又は熱需要の所定期間の予測を示す需要予測パラメータの提示要求をユーザから受け付ける手段と、前記需要予測パラメータの提示要求を受け付けた場合、前記制御装置から前記需要予測パラメータを取得し、取得した前記需要実績パラメータを前記提示された前記需要実績パラメータと比較できるようにしてユーザに提示する手段と、をさらに備えるようにしてもよい。
【００１６】
また、ユーザが前記需要実績パラメータの作成を所望しない将来の期間である例外期間の登録をユーザから受け付ける手段と、前記受け付けた例外期間についての情報を前記制御装置に送信する手段と、をさらに備えるようにしてもよい。
【発明の効果】
【００１７】
以上の如く、本発明によれば、例外的な需要パターンをユーザ主導の下で排除し、適正な需要予測パターンを作成することが可能になる。また、例外的な需要パターンの選択又は削除のための利便性の高いユーザＩ／Ｆを提供する。
【発明を実施するための最良の形態】
【００１８】
以下、本発明に係るコジェネレーションシステムの実施形態について図面を参照して説明する。
【００１９】
［第１の実施形態］
図１は、第１の実施形態に係るコジェネレーションシステムの全体構成を示す図である。このコジェネレーションシステムは、家屋４０（需要地）に電力を供給する発電装置１０と、発電装置１０の排熱を利用する（回収する）ことで生じた温水を貯湯する貯湯タンク２０と、発電装置１０の運転を制御する制御装置３０と、このコジェネレーションシステムのユーザＩ／Ｆとして機能するリモコン４１（ユーザＩ／Ｆ装置）と、を備える。
【００２０】
発電装置１０は、直流電力を発生する発電器１１と、発電器１１から供給された直流電力を交流電力に変換して出力するインバータ１２とを備える。発電器１１は、発電手段である燃料電池１３と、燃料電池１３に供給する改質ガスを生成する改質装置１４と、熱交換器２３とを備える。
【００２１】
燃料電池１３は、例えば、固体高分子型の燃料電池であり、一般的には、燃料電池スタック（ＦＣスタック）と呼ばれる。燃料電池１３は、複数のセルを積み重ねた構成を有し、一つのセルは、何れも図示しないが、燃料極（アノード）と空気極（カソード）とからなる一対の電極と、この電極間に介在する高分子膜とをセパレータで挟み込んだ構成を有する。燃料電池１３は、改質装置１４からアノードに供給される燃料ガス（改質ガス）と図示しない空気供給源からカソードに供給される酸化剤ガス（空気）を使用して発電を行う。
【００２２】
改質装置１４は、図示しない原燃料ガス供給源から供給される天然ガス等の原燃料ガスを水蒸気改質して、水素リッチな改質ガスを生成する。そして、改質ガス中の一酸化炭素濃度を低減させた後（約１０ｐｐｍ以下）、燃料電池１３に供給する。
【００２３】
発電器１１から出力された直流電力は、インバータ１２によって交流電力に変換され、送電線１５を介して家屋４０に送電される。送電された交流電力は、家屋４０に設置される図示しない各種の負荷機器（例えば、電灯、冷蔵庫、テレビ等）に供給され、消費される。また、送電線１５には、電力会社等の商用電源１６からの商用電源系統１９が接続している。したがって、家屋４０内の負荷機器の総電力消費量が、発電装置１０の発電出力（例えば、最大１ｋＷ）を超えても、商用電源１６からの電力で補えるようになっている。
【００２４】
また、送電線１５には、発電装置１０から送電される電力（即ち、発電電力）を計測する第１電力計１７が設けられ、商用電源系統１９には、商用電源１６から送電される電力を計測する第２電力計１８が設けられている。
【００２５】
貯湯タンク２０は、温水を貯留するための柱状の容器である。貯湯タンク２０の上部には、温水を家屋４０に供給するための給湯管２１が接続している。家屋４０に供給された温水は、例えば、風呂の湯張りや床暖房等に使用される。給湯管２１には、貯湯タンク２０から家屋４０に供給される温水（貯湯水）の量を計測する流量計２２が設けられている。また、貯湯タンク２０の下部には、水補給菅（図示せず）が接続し、家屋４０に供給された貯湯水の量に相当する水（水道水等の低温の水）が、貯湯タンク２０に補給されるようになっている。
【００２６】
貯湯タンク２０の貯湯水は、発電装置１０の発電に伴って発生する熱量（排熱）を熱交換器２３を介して吸収することで加温される。熱交換器２３は、発電器１１に接続する熱媒体水循環ライン２４と貯湯タンク２０に接続する貯湯水循環ライン２５上に配設されている。熱媒体水循環ライン２４は、発電器１１及び熱交換器２３と熱交換する熱媒体水の循環路である。貯湯水循環ライン２５は、貯湯タンク２０の貯湯水が循環する循環路である。
【００２７】
熱媒体水循環ライン２４を循環する熱媒体水は、発電器１１の排熱を吸収して昇温し、熱交換器２３に熱エネルギーを回収されることで降温する。発電器１１の排熱には、例えば、燃料電池１３の排熱や改質装置１４の排熱等が含まれる。
【００２８】
貯湯水循環ライン２５は、その一端が貯湯タンク２０の下部に接続し、他端が貯湯タンク２０の上部に接続している。図示しない循環ポンプにより貯湯タンク２０の下部から吸い込まれた貯湯水は、貯湯水循環ライン２５を循環して、貯湯タンク２０の上部に戻される。その際、貯湯水は、熱交換器２３を介して熱媒体水の熱エネルギーを吸収し、昇温する。
【００２９】
また、貯湯タンク２０内には、貯湯水の温度を計測する複数の温度センサが設置されている。本実施形態では、５つの温度センサＴ１〜Ｔ５が、貯湯タンク２０の上下方向に沿って、一定間隔で設置されている。温度センサＴ１〜Ｔ５は、貯湯タンク２０内の残湯量、即ち、使用に適する所定温度（例えば、６０℃）に達している貯湯水の量を検出する目的で設置される。例えば、満タン時の貯湯量が２００リットルであり、温度センサＴ５により計測された温度が６０℃以上である場合、残湯量は２００リットルであることを意味する。また、温度センサＴ２〜Ｔ５の計測温度が６０℃未満であり、温度センサＴ１の計測温度が６０℃以上である場合、残湯量は４０リットルであることを意味する。
【００３０】
また、給湯管２１には、図示しない補助加熱装置が接続されている。補助加熱装置は、残湯量が不足している場合に、貯湯タンク２０から供給される貯湯水を適温まで加熱するために使用される。
【００３１】
制御装置３０は、発電装置１０の運転を制御するための電子制御装置である。制御装置３０は、温度センサＴ１〜Ｔ５、第１電力計１７、第２電力計１８、流量計２２等の各計測器と接続し、これらの計測器からの信号を入力できる構成となっている。また、リモコン４１と所定の通信方式にてデータ通信可能に構成されている。
【００３２】
制御装置３０は、図２に示すように、ＣＰＵ３１、ＲＯＭ３２、ＲＡＭ３３、Ｉ／Ｆ部３４、データ記憶部３５等を備える。ＣＰＵ３１は、ＲＯＭ３２に記憶されている発電装置１０の運転を制御するためのプログラムを実行する。ＲＡＭ３３は、ＣＰＵ３０によりプログラムが実行される際の作業用領域等として使用される。Ｉ／Ｆ部３４は、制御装置３０に接続する各計測器等とのＩ／Ｆ（インタフェース）処理を行う。データ記憶部３５は、ＥＥＰＲＯＭあるいはハードディスク等の記憶装置であり、需要実績パターン、需要予測パターン等を記憶する。
【００３３】
需要実績パターンは、所定期間（本実施形態では、１日）の需要実績を所定時間単位（例えば、１時間単位）で示すデータであり、各計測器が計測した所定時間毎（例えば、３０分毎）の計測値（平均値）を基に、ＣＰＵ３１が作成する。本実施形態の需要実績パターンは、電力需要（消費電力）を示すパターン（電気実績パターン）と、熱需要（給湯需要）を示すパターン（給湯実績パターン）とを含む。なお、１日の区切りについては、特に限定されるものではないが、本実施形態では、午前０時〜２４時（午後１２時）までを需要実績パターン作成における１日とする。
【００３４】
電気実績パターンは、第１電力計１７の計測値と、第２電力計１８の計測値とを基に作成される。また、給湯実績パターンは、流量計２２の計測値を基に作成される。作成された各需要実績パターンは、データ記憶部３５に保存される。データ記憶部３５には、過去所定日分（本実施形態では、６日分）の発電実績パターンが保存される。また、本日分についても、現時点の発電実績パターン（つまり、現時点以降の実績値が存在しないパターン）がデータ記憶部３５（あるいはＲＡＭ３３）に保存されている。
【００３５】
需要予測パターンは、次回（即ち、翌日）の需要実績の予測パターンであり、電力需要の予測を示すパターン（電気予測パターン）と、給湯需要の予測を示すパターン（給湯予測パターン）とが含まれる。ＣＰＵ３１は、所定時刻（本実施形態では、２４時）に、電気予測パターン及び給湯予測パターンを作成する。ＣＰＵ３１は、前回の需要予測パターンと、本日分を含む過去７日分の需要実績パターンとに基づいて、需要予測パターン（電気予測パターン、給湯予測パターン）を作成する。その際の手法については、特に限定はなく、平均を求めることにより作成してもよいし、あるいは、事例ベース推論により作成してもよい。
【００３６】
ＣＰＵ３１は、作成した需要予測パターンに基づいて、翌日の運転の指針となる発電計画を作成する。そして、作成した発電計画に従って、発電装置１０の運転制御を行う。上記のように、需要予測パターンは、需要実績パターンを加味（即ち、学習）している。したがって、需要予測パターンに基づいて作成した発電計画に従った運転を行うことで、発電装置１０は、ユーザ（即ち、家屋４０の住居人である需要家）の生活パターンに適した発電を行うことができ、省エネルギー性や環境性の低下を極力回避することができる。
【００３７】
また、ＣＰＵ３１は、リモコン４１からの要求に応答して、指定された需要実績パターン又は需要予測パターンをリモコン４１に送信する。さらに、ＣＰＵ３１は、リモコン４１からの要求に応答して、指定された需要実績パターンの削除も行う。
【００３８】
リモコン４１は、制御装置３０と所定の通信方式にてデータ通信可能に構成され、当該コジェネレーションシステムに関して、ユーザからの操作指示を受け付け、また、ユーザに必要な情報を提示するユーザＩ／Ｆ装置である。リモコン４１は、例えば、家屋４０内の台所等、複数のユーザが操作しやすい場所に設置されるのが望ましいが、設置場所に限定はない。
【００３９】
リモコン４１は、図３に示すように、その前面パネルに表示部４２と、操作部４３とを備える。また、リモコン４１は、ＣＰＵ、ＲＡＭ、ＲＯＭ等（何れも図示せず）を内部に備えている。表示部４２は、例えば、液晶表示器で構成され、当該コジェネレーションシステムの各種状態やユーザが指示入力するための操作画面等を表示する。図３の例では、制御装置３０から送られてきたデータを基に、現在の発電量（第１電力計１７の計測値）、使用電力（第１電力計１７と第２電力計１８の計測値の加算値）、貯湯量（流量計２２の計測値）が表示されている。また、図示しない内部タイマの値を基に現在の日時（年、月、日、時、分）が表示されている。
【００４０】
操作部４３は、ユーザからの指示入力を受け付けるための各種操作ボタンを備える。具体的には、運転入／切ボタン４４と、選択ボタン４５と、決定ボタン４６と、時刻設定ボタン４７と、実績表示ボタン４８と、を備える。運転入／切ボタン４４は、当該コジェネレーションシステムの稼働／停止を切り替えるためのボタンであり、通常は、“入”（ＯＮ）状態となっている。
【００４１】
選択ボタン４５は、表示部４２に表示される操作画面に含まれる複数の被操作項目（ＧＵＩボタンも含む）の内から、ユーザが、所望の被操作項目を選択できるようにするためのボタンであり、△ボタン４５ａと、▽ボタン４５ｂとから構成される。△ボタン４５ａは、各被操作項目間について、カーソル（フォーカス）を所定の順番（予め各被操作項目に割り振られている）における逆方向（降順方向）に移動させるためのボタンであり、▽ボタン４５ｂは、カーソルを順方向（昇順方向）に移動させるためのボタンである。決定ボタン４６は、カーソルが位置する被操作項目に従った処理の実行（例えば、画面の遷移等）、あるいは、その被操作項目が示す対象に対して、所定の処理を実行するためのボタンである。
【００４２】
時刻設定ボタン４７は、リモコン４１が備える内部タイマの時刻設定（年、月、日、時、分）を行うためのボタンである。時刻設定ボタン４７を押下すると、図示しない時刻設定画面が表示部４２に表示される。ユーザは、かかる時刻設定画面を介して、選択ボタン４５及び決定ボタン４６を使用することで、年、月、日、時、分を入力（即ち、変更）することができる。
【００４３】
実績表示ボタン４８は、制御装置３０が作成した需要実績パターンを表示部４２に表示して、ユーザに提示するためのボタンである。実績表示ボタン４８が押下されると、リモコン４１のＣＰＵは、図４（ａ）に示す実績表示メニュー画面５０を表示する。実績表示メニュー画面５０には、実績種別（即ち、電気又は給湯）を示す被操作項目が表示されている。ユーザは、閲覧したい実績種別を示す被操作項目（電気又は給湯）を選択ボタン４５を使って選択し、決定ボタン４６を押下することで、所望の需要実績パターンを閲覧することができる。
【００４４】
ユーザにより決定ボタン４６が押下されると、リモコン４１は、選択された被操作項目が示す実績種別の需要実績パターンを制御装置３０に要求する。制御装置３０は、要求された需要実績パターン（本日と、過去６日分のパターン）をデータ記憶部３５から取得し、リモコン４１に送信する。リモコン４１は、需要実績パターンを受信すると、図４（ｂ）に示すような実績表示画面５１を表示する。図４（ｂ）は、電気実績パターンの表示例を示している。図４（ｂ）に示すように、実績表示画面５１には、本日以前の電気実績パターンが日毎にグラフ化されて表示される。なお、本日分については、現時点までの需要実績パターンが表示される。
【００４５】
各グラフの横軸は、時刻（０〜２４時）を示し、縦軸は電力（ｋＷ）を示す。また、各グラフ右横の数値は、需要予測パターン（本例では、電気予測パターン）との一致度を示している。この一致度は、例えば、次式により求められる。
【数１】
2009213203.tif 000003
但し、負となる場合は、０とする。
上記式で、Ｌｉは、需要予測パターン（本例では、電気予測パターン）の時間当たりの値を示し、Ｒｉは、需要実績パターン（本例では、電気実績パターン）の時間当たりの値を示す。
【００４６】
実績表示画面５１には、本日と、過去６日分の需要実績パターンが表示される。実績表示画面５１は、第１画面と第２画面とから構成され、図４（ｂ）の第１画面では、本日分と、過去４日分の電気実績パターンが表示される。そして、残りの電気実績パターンは、図５に示す第２画面で表示される。第１画面から第２画面への遷移には、ＧＵＩボタンである次へボタン５５を使用する。また、第２画面から第１画面への遷移には、ＧＵＩボタンである戻るボタン５７を使用する。また、ＧＵＩボタンである終了ボタン５６が押下操作されると、実績表示画面５１が閉じられ、元の画面（例えば、図３に示す通常画面）に戻る。
【００４７】
また、各グラフ左横には、それぞれの需要実績パターン（図４（ｂ）、図５の例では、電気実績パターン）の日に対応する被操作項目（指定日項目５４）が配置されている。指定日項目５４は、ユーザが削除したい需要実績パターンを選択（指定）するために使用される。その詳細については後述する。
【００４８】
実績表示画面５１に配置される予測表示ボタン５２は、ＧＵＩボタンであり、実績表示画面５１に需要予測パターンも併せて表示させたい場合に使用する。予測表示ボタン５２が、ユーザにより、選択ボタン４５を使って選択され、決定ボタン４６を使って押下されると、リモコン４１は、需要予測パターン（例えば、電気予測パターン）を制御装置３０に要求する。
【００４９】
制御装置３０は、要求された需要予測パターンをデータ記憶部３５から取り出し、リモコン４１に送信する。リモコン４１は、制御装置３０からの需要予測パターンを受信すると、実績表示画面５１に表示されている各日毎のグラフに、受信した需要予測パターンを重ねて表示する（図６参照）。図６は、電気予測パターンが波線で表示されている例を示している。このように、需要予測パターンも併せて表示すると、ユーザは、双方のパターンの比較を容易に行うことができ、即座に一致点、不一致点を把握することができる。
【００５０】
図７は、実績表示画面５１に給湯実績パターンを表示した例を示している。図７において、各グラフの横軸は、時刻（０〜２４時）を示し、縦軸は熱量（ｋＷ）を示す。その他、実績表示画面５１の構成及び仕様については、上述した電気実績パターンの表示例（図４（ｂ）、図５、図６）と同様である。
【００５１】
続いて、需要実績パターンの削除について、電気実績パターンの削除を例にして説明する。例えば、図４（ｂ）、図５に示す実績表示画面５１において、ユーザは、選択ボタン４５を使って、削除したい電気実績パターンに対応する指定日項目５４（例えば、２日前を示す指定日項目５４）を選択し、そして、決定ボタン４６を押下する。すると、リモコン４１は、図８（ａ）に示すような削除確認画面５８をポップアップ表示する。
【００５２】
ここで、ユーザが、ＧＵＩボタンである「はい」ボタンを選択し、押下操作すると、リモコン４１は、当該指定日の電気実績パターンを削除するよう制御装置３０に要求する（削除要求）。制御装置３０は、リモコン４１からの削除要求を受けると、データ記憶部３５に保存している当該指定日に対応する電気実績パターンを削除する。
【００５３】
一方、リモコン４１は、削除確認画面５８を閉じるとともに、実績表示画面５１を再表示する。その結果、図８（ｂ）に示すように、当該指定日（例えば、２日前）の電気実績パターンが存在しない実績表示画面５１が表示される。
【００５４】
また、全ての電気実績パターンを削除したい場合には、実績表示画面５１に配置される一括削除ボタン５３（ＧＵＩボタン）を使用する。かかる一括削除ボタン５３を押下操作すると、本日分を含む全ての電気実績パターンを削除対象に指定することができる。
【００５５】
図９は、実績表示画面５１の表示に関して、リモコン４１及び制御装置３０で実行される処理の手順を示すフローチャートである。ユーザにより、実績表示ボタン４８が押下されると、リモコン４１は、表示部４２に、図４（ａ）に示すような実績表示メニュー画面５０を表示する（ステップＳ１０１）。そして、ユーザの入力を監視し、決定ボタン４６の押下を検出すると（ステップＳ１０２でＹＥＳ）、選択された実績種別の判別を行う。その結果、「電気」が選択された場合は（ステップＳ１０３でＹＥＳ）、リモコン４１は、制御装置３０に対して電気実績パターンの要求を行い（ステップＳ１０４）、「給湯」が選択された場合は（ステップＳ１０３でＮＯ）、給湯実績パターンの要求を行う（ステップＳ１０５）。
【００５６】
制御装置３０は、要求された実績種別の本日及び過去６日分の需要実績パターン（電気実績パターン又は給湯実績パターン）をデータ記憶部３５から取得する（ステップＳ１０６）。そして、取得した需要実績パターンをリモコン４１に送信する（ステップＳ１０７）。リモコン４１は、制御装置３０から送られてきた需要実績パターンを受信すると、図４（ｂ）又は図７に示すような実績表示画面５１を表示する（ステップＳ１０８）。
【００５７】
続いて、需要実績パターンの削除に関して、リモコン４１及び制御装置３０で実行される処理の手順を図１０のフローチャートに沿って説明する。リモコン４１の表示部４２に実績表示画面５１が表示されているとき、ユーザにより決定ボタン４６が押下されると（ステップＳ２０１でＹＥＳ）、リモコン４１は、指定日項目５４が選択されているか否かを判定する。指定日項目５４が選択されている場合（ステップＳ２０２でＹＥＳ）、リモコン４１は、図８（ａ）に示すような削除確認画面５８をポップアップ表示する（ステップＳ２０３）。一方、指定日項目５４が選択されていない場合は（ステップＳ２０２でＮＯ）、リモコン４１は、画面遷移や需要予測パターンの表示等、別処理を実行し、再度、ユーザの入力を監視する（ステップＳ２０１に戻る）。
【００５８】
削除確認画面５８で、ユーザが「はい」を選択した場合（ステップＳ２０４でＹＥＳ）、リモコン４１は、当該指定日の需要実績パターン（電気実績パターン又は給湯実績パターン）を削除するよう制御装置３０に要求する（ステップＳ２０５）。但し、前述した一括削除の場合は、全ての需要実績パターン（電気実績パターン又は給湯実績パターン）の削除を要求する。制御装置３０は、リモコン４１からの削除要求を受けると、データ記憶部３５に保存している当該指定日に対応する（又は、全ての）需要実績パターン（電気実績パターン又は給湯実績パターン）を削除する（ステップＳ２０６）。制御装置３０は、需要実績パターンを削除すると、削除完了通知をリモコン４１に送信する（ステップＳ２０７）。
【００５９】
リモコン４１は、制御装置３０からの削除完了通知を受信すると、実績表示画面５１を再表示する（ステップＳ２０８）。そうすると、例えば、図８（ｂ）に示すように、ユーザが削除指定した日（例えば、２日前）の電気実績パターンが存在しない実績表示画面５１が表示される。
【００６０】
以上のようにして、ユーザが指定した需要実績パターンが削除されると、所定時刻（例えば、２４時）に、制御装置３０は、残りの需要実績パターンに基づいて、需要予測パターンを作成し、作成した需要予測パターンに基づいて、発電計画を作成する。
【００６１】
また、全ての需要実績パターンがユーザの指定により削除された場合、制御装置３０は、初期の発電計画を使用して発電装置１０の運転制御を行う。例えば、２４時間連続運転し、貯湯タンク２０の貯湯量が満タンになったら、運転を停止したり、あるいは、標準家庭の需要実績パターン（予め、制御装置３０のＲＯＭ３２等に記憶されている）に基づいて作成した発電計画に従った運転制御等を行ってもよい。
【００６２】
以上説明したように、本実施形態のコジェネレーションシステムによれば、ユーザは、リモコン４１を介して、日常とは異なる需要実績パターン（電気実績パターン、給湯実績パターン）を容易に確認することができ、そして簡易な操作で削除することができる。したがって、ユーザ（需要家）の日常生活に即した適正な需要予測パターンを維持することができる。
【００６３】
なお、本実施形態では、ユーザは、図４（ａ）に示す実績表示メニュー画面５０により、電気又は給湯を選択することで、実績表示画面５１において、何れか一方の需要実績パターンを閲覧し、削除することができるが、両者（電気及び給湯）の需要実績パターンを同時に表示し、同時に削除できるようにしてもよい。あるいは、何れか一方の需要実績パターンを閲覧し、削除することで、他方の需要実績パターンも同時に削除される仕様にしても構わない。
【００６４】
また、本実施形態では、需要実績パターンの削除は、指定された日単位で行っているが、これに限定されず、１日の間の所定期間をユーザが指定でき、かかる期間の実績（データ）のみを削除できるようにしてもよい。以下、この場合の例について説明する。
【００６５】
例えば、図４（ｂ）に示す実績表示画面５１において、ユーザが、指定日項目５４（例えば、２日前を示す指定日項目５４）を選択し、決定ボタン４６を押下すると、リモコン４１は、削除確認画面５８（図８（ａ）参照）を表示する前に、図１１（ａ）に示すような、削除時間帯指定画面６０をポップアップ表示する。
【００６６】
削除時間帯指定画面６０には、開始時刻入力フィールド６１と、終了時刻入力フィールド６２とが設けられている。ユーザは、選択ボタン４５の△ボタン４５ａ、▽ボタン４５ｂを使用して、これらのフィールドに０〜２４の数値を入力することができる。例えば、１２時〜２４時までの時間帯を削除したい場合には、開始時刻入力フィールド６１に１２、終了時刻入力フィールド６２に２４を入力する。また、１日のデータ全てを削除したい場合には、０時〜２４時までの時間帯を指定する（終日指定）。
【００６７】
ユーザにより時間帯が指定され、決定ボタン４６が押下されると、リモコン４１は、図８（ａ）に示す削除確認画面５８を表示する。そして、ユーザにより「はい」ボタンが押下操作されると、リモコン４１は、当該指定日（例えば、２日前）の需要実績パターン（ここでは、電気実績パターン）について、指定された時間帯のデータを削除するよう制御装置３０に要求する。
【００６８】
制御装置３０は、リモコン４１からの削除要求を受けると、データ記憶部３５に保存している当該指定日に対応する電気実績パターンを取り出し、これに含まれる指定された時間帯のデータを削除する。但し、終日指定されている場合は、当該指定日に対応する電気実績パターンそのものを削除する。削除が完了すると、制御装置３０は、削除完了通知をリモコン４１に送信する。
【００６９】
リモコン４１は、制御装置３０からの削除完了通知を受信すると、実績表示画面５１を再表示する。そうすると、例えば、図１１（ｂ）に示すように、ユーザが指定した日（例えば、２日前）の電気実績パターンの内、削除指定された時間帯（例えば、１２〜２４時）のデータが存在しない実績表示画面５１が表示される。
【００７０】
なお、削除する１日の時間帯をより詳細（例えば、分まで含める）に指定できるようにしてもよい。また、例えば、昼、夜等、時間帯以外で削除する期間を指定できるようにしてもよい。
【００７１】
［第２の実施形態］
続いて、本発明の第２の実施形態に係るコジェネレーションシステムについて説明する。本実施形態のコジェネレーションシステムの全体構成は、第１の実施形態のコジェネレーションシステムと同様である（図１参照）。本実施形態のコジェネレーションシステムは、第１の実施形態のコジェネレーションシステムと同等の機能を有し、さらに、ユーザが、リモコン４１を介して、予定される将来の例外的な日時（例外期間）を指定し、当該日時の需要実績パターンを制御装置３０に作成させないようにする機能も有する。
【００７２】
図１２に示すように、本実施形態のリモコン４１の操作部４３には、例外日時登録ボタン７０が設けられている。ユーザが、この例外日時登録ボタン７０を押下すると、図１３に示す例外日時登録画面７１が表示される。例外日時登録画面７１には、現時点で登録されている例外日時（例外的な使用（需要）が予定される日時）が、登録番号項目７２毎に表示される。これらの例外日時は、例外日時登録テーブルに格納されている。例外日時登録テーブルは、リモコン４１が内部に備える図示しないＲＡＭ等の半導体メモリに保存されている。なお、現時点で登録されている例外日時が存在しない場合（即ち、例外日時登録テーブルが空の場合）には、例外日時登録画面７１に登録番号項目７２は表示されない。その際、“現在、登録されている情報はありません。”等のメッセージを表示してもよい。
【００７３】
追加ボタン７３は、ユーザが新規に例外日時を登録したい場合に使用するＧＵＩボタンである。追加ボタン７３が、ユーザにより押下操作されると、リモコン４１は、図１４（ａ）に示すような日時指定画面８０をポップアップ表示する。日時指定画面８０には、月入力フィールド８１と、日入力フィールド８２と、開始時刻入力フィールド８３と、終了時刻入力フィールド８４とが設けられている。ユーザは、選択ボタン４５の△ボタン４５ａ又は▽ボタン４５ｂを使用して、月入力フィールド８１ならば、１〜１２の数値を入力し、日入力フィールド８２ならば、１〜３１の数値を入力し、開始時刻入力フィールド８３又は終了時刻入力フィールド８４ならば、０〜２４の数値を入力することができる。
【００７４】
ユーザにより日時が入力され、決定ボタン４６が押下されると、リモコン４１は、例外日時登録画面７１を再表示する。そうすると、図１４（ｂ）に示すように、新たに登録された例外日時（２月２７日  ０時〜１２時）が例外日時登録画面７１に表示される。
【００７５】
続いて、例外日時登録画面７１に表示されている例外日時の変更又は削除について説明する。変更又は削除したい例外日時がある場合、ユーザは、選択ボタン４５を使って、その例外日時に対応する登録番号項目７２を選択し、そして、決定ボタン４６を押下する。すると、図１５に示すような選択メニュー画面９０がポップアップ表示される。選択メニュー画面９０には、ＧＵＩボタンである変更ボタン９１及び削除ボタン９２が配置されている。当該例外日時を変更したい場合、ユーザは、変更ボタン９１を押下操作する。すると、リモコン４１は、上記の日時指定画面８０を表示する。ユーザは上記同様、選択ボタン４５の△ボタン４５ａ又は▽ボタン４５ｂを使用して、変更したい日時を入力する。そして、決定ボタン４６を押下すると、例外日時登録画面７１が再表示され、変更した日時が反映される。
【００７６】
一方、当該例外日時を削除したい場合、ユーザは、削除ボタン９２を押下操作する。すると、当該例外日時が削除された例外日時登録画面７１が再表示される。
【００７７】
終了ボタン７４は、例外日時登録画面７１を閉じ、元の画面に戻るためのＧＵＩボタンである。終了ボタン７４が押下されると、例外日時登録画面７１に表示されている例外日時が、例外日時登録テーブルに反映される。また、リモコン４１は、更新された例外日時登録テーブルを制御装置３０に送信する。制御装置３０は、リモコン４１と同様に例外日時登録テーブルをデータ記憶部３５に保存している。制御装置３０は、リモコン４１から送られてきた例外日時登録テーブルを受信すると、保存している例外日時登録テーブルを受信した例外日時登録テーブルに置き換える。制御装置３０のＣＰＵ３１は、例外日時登録テーブルを参照し、これに登録されている日時については、需要実績パターンの作成を行わない。したがって、例外日時の需要実績は、需要予測パターンの作成に加味されないことになる。
【００７８】
続いて、例外日時の登録に関して、リモコン４１及び制御装置３０で実行される処理の手順を図１６のフローチャートに沿って説明する。リモコン４１の表示部４２に例外日時登録画面７１が表示されているとき、ユーザにより決定ボタン４６が押下されると（ステップＳ３０１でＹＥＳ）、その決定ボタン４６の押下により、終了ボタン７４が押下操作されたか否かを判定する。終了ボタン７４が押下操作された場合（ステップS３０２でＹＥＳ）、リモコン４１は、例外日時登録画面７１に表示されている例外日時を例外日時登録テーブルに反映する（ステップＳ３０３）。一方、終了ボタン７４が押下操作されていない場合（ステップS３０２でＮＯ）、日時指定画面８０や選択メニュー画面９０の表示等、別処理を実行し、再度、ユーザの入力を監視する（ステップＳ３０１に戻る）。
【００７９】
リモコン４１は、更新した例外日時登録テーブルを制御装置３０に送信する（ステップＳ３０４）。制御装置３０は、リモコン４１からの例外日時登録テーブルを受信すると、データ記憶部３５に保存している例外日時登録テーブルを受信した例外日時登録テーブルに置き換える（ステップ３０５）。
【００８０】
以上説明したように、本実施形態のコジェネレーションシステムによれば、ユーザは、リモコン４１を介して、予定される将来の例外的な日時（例外日時）を登録することができる。そして、制御装置３０は、ユーザが登録した例外日時については、需要実績パターンの作成を行わない。したがって、需要予測パターンの作成において、当該例外日時の需要実績が加味されることがなく、適正な需要予測パターンを維持することができる。
【００８１】
なお、本発明は、上記何れの実施形態に限定されるものではなく、本発明の要旨を逸脱しない範囲で種々の変更が可能である。
【００８２】
例えば、上記各実施形態において、発電装置１０は、発電手段として、燃料電池１３を用いているが、これに限らず、例えば、ガスエンジンを発電手段として採用してもよい。
【００８３】
また、リモコン４１は、複数箇所（例えば、台所と浴室に設置する等）に設置されてもよい。
【００８４】
また、第２の実施形態において、例えば、リモコン４１がカレンダー表示機能を備え、ユーザは、表示されたカレンダー上の日あるいは日時を選択する等して、上記例外日時を登録できる仕様にしてもよい。
【図面の簡単な説明】
【００８５】
【図１】本発明の第１の実施形態に係るコジェネレーションシステムの全体構成を示す図である。
【図２】図１の制御装置の構成を示すブロック図である。
【図３】図１のリモコンの正面図である。
【図４】（ａ）は、実績表示メニュー画面を示す図であり、（ｂ）は、電気実績パターンを表示する実績表示画面の第１画面を示す図である。
【図５】電気実績パターンを表示する実績表示画面の第２画面を示す図である。
【図６】電気予測パターンの表示例を示す図である。
【図７】給湯実績パターンを表示する実績表示画面の第１画面を示す図である。
【図８】（ａ）は、削除確認画面を示す図であり、（ｂ）は、電気実績パターンが削除された後の実績表示画面を示す図である。
【図９】実績表示画面の表示に関して、リモコン及び制御装置で実行される処理の手順を示すフローチャートである。
【図１０】需要実績パターンの削除に関して、リモコン及び制御装置で実行される処理の手順を示すフローチャートである。
【図１１】（ａ）は、削除時間帯指定画面を示す図であり、（ｂ）は、指定された電気実績パターンの指定された時間帯のデータが削除された後の実績表示画面を示す図である。
【図１２】本発明の第２の実施形態に係るコジェネレーションシステムが備えるリモコンの正面図である。
【図１３】例外日時登録画面を示す図である。
【図１４】（ａ）は、日時指定画面を示す図であり、（ｂ）は、例外日時が追加された後の例外日時登録画面を示す図である。
【図１５】選択メニュー画面を示す図である。
【図１６】例外日時の登録に関して、リモコン及び制御装置で実行される処理の手順を示すフローチャートである。
【符号の説明】
【００８６】
１０  発電装置
１３  燃料電池
１７  第１電力計（計測手段）
１８  第２電力計（計測手段）
２２  流量計（計測手段）
３０  制御装置
４１  リモコン（ユーザＩ／Ｆ装置）
【図１】
2009213203.tif 000004
【図２】
2009213203.tif 000005
【図３】
2009213203.tif 000006
【図５】
2009213203.tif 000007
【図６】
2009213203.tif 000008
【図７】
2009213203.tif 000009
【図９】
2009213203.tif 000010
【図１０】
2009213203.tif 000011
【図１２】
2009213203.tif 000012
【図１３】
2009213203.tif 000013
【図１４】
2009213203.tif 000014
【図１６】
2009213203.tif 000015
【図４】
2009213203.tif 000016
【図８】
2009213203.tif 000017
【図１１】
2009213203.tif 000018
【図１５】
2009213203.tif 000019